(57)【要約】【課題】採石山等の産地の管理負担やユーザーのチェック負担を低減し、品質の確かな骨材を顧客に提供し、骨材について、ＪＩＳ規格や多種・多様な用途への対応ができ、物流効率も向上させる。【解決手段】骨材の受入設備１２と、産地、品質、性能、目的及び用途から選択される一以上が異なる複数種類の骨材を、管理形態に応じて一時的に貯蔵する第１貯蔵場１４と、骨材を洗浄する洗浄機３２と、骨材を分級する分級機２２と、骨材同士を混合する混合機２８と、品質又は／及び性能を調整するための骨材を貯蔵する第２貯蔵場２６と、複数の用途別に骨材を出荷する出荷設備３６とを備える事業場１０等。異なる複数の産地の骨材を、一事業所での一元的な管理のもとで用途別に生産出荷するため、骨材の品質を安定化できる。粉砕機２０、磨砕設備２５、試験設備３４等を備けてもよく、海送による輸送コスト低減を図るため、海岸部に専用埠頭を備えることが好ましい。【選択図】図１
2008239455.tif 000002
【特許請求の範囲】
【請求項１】
骨材の受入設備と、産地、品質、性能、目的及び用途から選択される一以上が異なる複数種類の骨材を、それらの管理形態に応じて一時的に貯蔵する第１の貯蔵手段と、骨材を洗浄する洗浄機と、骨材を分級する分級機と、骨材同士を混合する混合機と、品質又は／及び性能を調整するために用いる骨材を貯蔵しておく第２の貯蔵手段と、用途別に骨材を出荷するための出荷設備とを備えることを特徴とする骨材生産出荷システム。
【請求項２】
骨材を粉砕する粉砕機又は／及び骨材を磨砕する磨砕設備を備えることを特徴とする請求項１に記載の骨材生産出荷システム。
【請求項３】
骨材の性能を試験する試験設備又は／及び骨材の品質を分析する分析設備を備えることを特徴とする請求項１又は２に記載の骨材生産出荷システム。
【請求項４】
骨材を改質する改質設備を備えることを特徴とする請求項１、２又は３に記載の骨材生産出荷システム。
【請求項５】
海岸部に設置され、専用埠頭を備えることを特徴とする請求項１乃至４のいずれかに記載の骨材生産出荷システム。
【請求項６】
異なる複数の産地の骨材を、一事業所での一元的な管理のもとで、用途別に生産出荷する骨材生産出荷方法であって、
各々受け入れた骨材の品質、性能及び適用可能な用途を確認するとともに、必要に応じて洗浄、粉砕、磨砕、分級、改質、及び、品質又は性能又は粒度が異なる骨材同士の混合から選択される一以上の処理を施し、得られた骨材の品質試験又は／及び性能試験を行い、出荷する骨材と、該骨材についての品質又は／及び性能試験結果とを、出荷先において関連づけ可能なように該骨材を出荷することを特徴とする骨材生産出荷方法。
【請求項７】
前記一事業所で受け入れる骨材は、ＪＩＳ認定工場以外の工場も含む採石山又は砕石工場からの骨材であり、出荷する骨材は、ＪＩＳに規定するコンクリート用骨材の規格に適合するものであることを特徴とする請求項６に記載の骨材生産出荷方法。
【請求項８】
前記一事業所で受け入れる骨材は、天然骨材、石灰石骨材、再生骨材、人工骨材及び重量骨材からなる群から選択される２種以上であることを特徴とする請求項６に記載の骨材生産出荷方法。
【請求項９】
前記一事業所は、ＪＩＳ認定を取得しており、前記出荷する骨材は複数種類で、それらのいずれかの種類はＪＩＳ規格品を含むことを特徴とする請求項６、７又は８に記載の骨材生産出荷方法。
【発明の詳細な説明】
【技術分野】
【０００１】
本発明は、骨材生産出荷システム及び骨材生産出荷方法に関し、特に、一事業所での一元的な管理のもとで、異なる採石山、砕石工場等からの骨材を集積して多種多様な目的、規格、用途に適合させるための処理機能を有するとともに、物流の拠点としての機能も有するシステム等に関する。
【背景技術】
【０００２】
採石山、砕石工場等で生産された骨材は、コンクリート用砕石や、道路用砕石等、多種多様な用途に用いられている。その用途に合わせて、ＪＩＳ（日本工業規格）が定められているが、ＪＩＳ認定を受けている工場は、全国の砕石工場の約８．５％に留まり、確かな品質の骨材を供給するのは容易ではない。そのため、受け入れた骨材について品質・性能のチェックを行う必要が生じるなど、受入側の手間やコストが増加する。さらには、現在、受入側（ユーザー）のほとんどは、採石山又は砕石工場から半径約５０ｍ圏内に存在しており、供給範囲が限られているため、受入側が多種多様な用途に対応して骨材を入手しようとすると、物流に困難が生ずるという問題があった。
【０００３】
ところで、特許文献１及び特許文献２には、原料となる土砂の性質や状態が多種多様である場合にも、産業廃棄物の増大を招くことなく土砂製品の高品質化を図り、廃棄物の再利用促進を図るため、自走式土質改良機を用いて、土砂ホッパでの受入工程、混合装置での混合工程、及び排出コンベアでの排出工程を含む複数の生産工程を行う前に、土砂の分級、解砕、破砕、及び添加物添加のうち少なくとも一つの前処理を、定置式のコンベア、篩い装置、破砕装置及び磁選機で行う土砂製品生産システム等が提案されている。
【０００４】
これら特許文献１、２に記載されたシステムは、土砂を原料とした製品の生産に限定され、製品の種類も少なく、自走式土質改良機と、定置式設備を組み合わせた比較的小規模のシステムである。
【０００５】
また、特許文献３には、石炭焚き火力発電所で発生した石炭灰を受け入れ、各種用途に向けて配送可能な石炭灰処理及び物流の効率化のための複合システムを提供するため、石炭焚き火力発電所で発生した石炭灰の受入設備と、複数の貯蔵設備と、石炭灰を分級する分級機と、石炭灰同士又は石炭灰と他の原料とを混合する混合機と、複数の用途別に石炭灰又は石炭灰と他の原料との混合物を出荷するための出荷設備とを備えた石炭灰処理・物流複合システムが提案されている。
【０００６】
この特許文献３に開示されたシステムも、廃棄物としての石炭灰を有効利用するための石炭灰に限定されたものであり、骨材に比べ製品の種類も少ない。また、石炭灰は、砕石、骨材のような固い粒状物とは異なり軟らかい粉粒体であるため、取扱方法及び設備も異なる。従って、特許文献３に記載の発明を、骨材の生産出荷に適用することは困難である。
【０００７】
【特許文献１】特開２００２−４２６８号公報
【特許文献２】特開２００３−１６０９５０号公報
【特許文献３】特許第３６８３７８９号公報
【発明の開示】
【発明が解決しようとする課題】
【０００８】
本発明は、上記の点に鑑みてなされたものであって、骨材の生産・出荷センターを設置して、そこで骨材の一元管理を行うことにより、採石山等の産地の管理負担、及び受入側のチェック負担を低減し、品質の確かな骨材を顧客に提供するとともに、ＪＩＳ規格や、多種・多様な用途への対応ができ、物流効率を向上させることも可能な骨材生産出荷システム及び方法を提供することを目的とする。
【課題を解決するための手段】
【０００９】
上記目的を達成するため、本発明は、骨材生産出荷システムであって、骨材の受入設備と、産地、品質、性能、目的及び用途から選択される一以上が異なる複数種類の骨材を、それらの管理形態に応じて一時的に貯蔵する第１の貯蔵手段と、骨材を洗浄する洗浄機と、骨材を分級する分級機と、骨材同士を混合する混合機と、品質や性能を調整するために用いる骨材を貯蔵しておく第２の貯蔵手段と、用途別に骨材を出荷するための出荷設備とを備えることを特徴とする。
【００１０】
そして、本発明によれば、採石山等の産地から受け入れた骨材を、その性状に応じて適宜洗浄、分級した骨材同士を適宜混合することなどによって、出荷製品仕様に対応したものに加工・調整することにより、複数の産地からの骨材に対し、受入から出荷までの一連の工程を全てこのシステムで行うことができるため、効率よく目的に応じた骨材を生産できる。また、得られる骨材の品質の安定性を確保することができ、前記産地での品質管理の手間及びコストを低減することができる。受入側のチェック負担を低減することも可能である。また、種々の処理を行う装置を備えるため、多種多様な用途に対応することも可能で、骨材の受入から出荷までを一箇所で行うことにより、物流効率を向上させることもできる。
【００１１】
前記骨材生産出荷システムにおいて、骨材を粉砕する粉砕機又は／及び骨材を磨砕する磨砕設備を備えることは好ましい。粉砕機を備えることにより、粒度が粗い骨材を用途に応じて粒度を細かくして出荷することができる。また、品質、性能、粒度を調整するのに必要な調整用の骨材を得ることができる。また、磨砕設備を備えることにより、骨材の品質や粒度の微調整が可能となり、再生骨材の処理がし易くなる。
【００１２】
前記骨材生産出荷システムにおいて、骨材の性能を試験する試験設備又は／及び骨材の品質を分析する分析設備を備えることは好ましい。これにより、外部試験機関に依頼する手間や外注費を低減できる。また、受け入れた骨材の試験結果又は／及び分析結果に基づいて適宜処理を行ったり、ＪＩＳ規格に適合しているか否か確認したり、用途に応じて骨材の性能及び品質を確認した上で出荷することが効率よく行うことができる。また、採石山等の産地の管理負担や受入側のチェック負担を軽減できるし、骨材の加工調整等もし易くなるので、多種多様な用途への対応もし易くなる。
【００１３】
前記骨材生産出荷システムにおいて、骨材を改質する改質設備を備えることができる。これにより、用途に応じて骨材の品質及び性能を調整することができるので、不良品でも少々の不良であれば使用可能にできる。例えば、吸水率の少し高い骨材を吸水率の低い骨材にするなどである。
【００１４】
前記骨材生産出荷システムを海岸部に設置し、専用埠頭を備えるように構成することができる。これによって、採石山又は／及び砕石工場から、海路を介して骨材を受け入れたり、海路を介して骨材を出荷することができ、輸送コストを低減することができる。特に、重量骨材は、船のバランサーとして使用されるので好ましい。
【００１５】
また、本発明は、異なる複数の産地の骨材を、一事業所での一元的な管理のもとで、用途別に生産出荷する骨材生産出荷方法であって、各々受け入れた骨材の品質、性能及び適用可能な用途を確認するとともに、必要に応じて洗浄、粉砕、磨砕、分級、改質、及び、品質又は性能又は粒度が異なる骨材同士の混合から選択される一以上の処理を施し、得られた骨材の品質試験又は／及び性能試験を行い、出荷する骨材と、該骨材についての品質又は／及び性能試験結果とを、出荷先において関連づけ可能なように該骨材を出荷することを特徴とする。尚、出荷する骨材を出荷先において関連づけ可能とするには、骨材に試験成績表を付して出荷したり、ＪＩＳ規格認定票を付して出荷したり、２次元コード等を用いた電子的な手段を用いることもできる。一事業所での一元的な管理とは、例えば、複数種類の骨材を扱う生産・出荷センターで原材料となる骨材の受入から出荷までの生産管理を、必要に応じて異なる品質・性能の骨材同士で調整しつつ、一体的に管理することをいう。
【００１６】
本発明によれば、骨材の生産・出荷センターとしての機能を担うことができる。すなわち、複数の産地からの骨材や、複数の種類の骨材を受け入れ、必要に応じて加工・品質調整をすることで、種々の骨材を用途に応じて出荷できる。また、確かな品質の骨材を出荷でき、ＪＩＳ規格への対応も可能となる。さらに、物流効率を向上させることもできる。
【００１７】
前記骨材生産出荷方法においては、前記一事業所で、ＪＩＳ認定工場以外の工場も含む採石山又は砕石工場からの骨材を全て受け入れることが可能である。そして、出荷する骨材を、ＪＩＳに規定するコンクリート用骨材の規格に適合させることもできる。
【００１８】
前記骨材生産出荷方法においては、前記一事業所で受け入れる骨材を、天然骨材、石灰石骨材、再生骨材、人工骨材及び重量骨材からなる群から選択される２種類以上とすることができ、異なる複数種類の骨材を一事業所で処理でき、骨材のデパートや商社的機能も果たし得る。
【００１９】
前記骨材生産出荷方法において、前記一事業所を、ＪＩＳ認定を取得した事業所とし、前記出荷する骨材は、複数種類で、それらのいずれかの種類は、ＪＩＳ規格品を含むようにすることができる。このように、ＪＩＳ認定を取得した事業所であれば、ＪＩＳ規格品の生産、出荷がよりし易くなる。
【発明の効果】
【００２０】
以上のように、本発明にかかる骨材生産出荷システム及び骨材生産出荷方法によれば、ＪＩＳ認定の有無によらず、各所の採石山及び砕石工場等の産地から種々の骨材を受け入れることができる。また、必要に応じて骨材の品質を向上させ、顧客のニーズに応じた品質の確かなものを供給できるとともに、必要に応じてＪＩＳ規格を満たすものも供給できる。また、多種多様な用途に対応可能で、物流効率を向上させることもできる。さらに、前記各産地における品質等の管理負担や受入側のチェック負担を低減できる。
【発明を実施するための最良の形態】
【００２１】
図１は、本発明にかかる骨材生産出荷システムの一実施の形態を示し、この骨材生産出荷システムは、骨材生産・出荷センター（以下「事業所」という）１０の機能を担うものであって、産地・製造工場１としての採石山又は砕石工場２、或いは重量骨材生産者３からの骨材を受け入れる受入設備１２と、受け入れた骨材を品種別や産地別に貯蔵する第１貯蔵場１４と、粉砕機２０と、分級機２２と、計量機２４と、磨砕設備２５と、品質や性能を調整するための調整用骨材の置場等として機能する第２貯蔵場２６と、混合機２８と、改質設備３０と、洗浄機３２と、試験・分析設備３４と、用途や品種別に複数の備蓄タンク４１〜５０を備える出荷設備３６等で構成される。尚、この事業場１０は、海岸部に、専用埠頭を備えるように設置することができる。また、この事業場１０は、ＪＩＳ認定を取得していることが好ましい。
【００２２】
受入設備１２は、上述のように、産地・製造工場１からの複数種の骨材を受け入れるために設けられ、ホッパ、ベルトコンベア等の輸送機、計量機といった通常骨材を受け入れる際に必要な装置や機器を備える。また、受け入れた骨材を必要に応じて洗浄するための洗浄機を備える。
【００２３】
第１貯蔵場１４は、受入設備１２によって受け入れられた、石灰石粗骨材、天然骨材、重量細骨材等の複数種類の骨材について、産地、品質、性能、目的、用途等に応じて異なる場所に一時的に貯蔵するために備えられる置場等であって、粒径の小さな骨材については、異なる種類の骨材毎に備蓄タンクやサイロを用いることができる。
【００２４】
粉砕機２０は、受け入れた骨材等の一部の粒径が大き過ぎる場合に、この大き過ぎる骨材を粉砕して粒径を小さくするため、或いは、調整用の骨材を得るため用いられるジョークラッシャー、ボールミル、ローラミル等であって、例えば、受け入れた石灰石骨材を所定の粒度を有する細骨材、粗骨材、その他の石灰石粉製品に粉砕する。
【００２５】
分級機２２は、受け入れた骨材や粉砕した骨材を粒径に基づいて分離するためのスクリーン等であって、例えば、所定の分級点を境にして、細骨材と、粗骨材、その他の粉末製品に分けるために備えられる。分級機２２は、従来から使用されているものを用いればよく、特に限定されない。
【００２６】
計量機２４は、混合機２８で混合する骨材同士の混合割合を決定するため、各々の骨材の重量を測定するために備えられ、例えば、分級機２２で分級された骨材、第１貯蔵場１４からの骨材、第２貯蔵場２６に貯蔵した調整用骨材等を計量する。計量機２４は、従来から使用されているものを用いればよく、特に限定されない。
【００２７】
磨砕設備２５は、骨材の表層を磨砕するために備えられ、例えば、建築物の解体時に発生するコンクリートの塊を破砕して得られた再生骨材の品質や骨材の形状を微調整するために備えられる。この磨砕設備２５は、従来再生骨材の製造等に用いられているものを用いればよい。
【００２８】
第２貯蔵場２６は、製品として出荷する骨材の品質、性能、粒度等を、目的、用途、規格、ユーザーの要望等に応じて調整するための骨材を置くために備えられる置場等であって、粉砕機２０、分級機２２及び改質設備３０等からの各種調整用の骨材を一時的に貯蔵する。尚、粒径の小さな各種調整用骨材については、備蓄タンクやサイロを用いることができる。また、図示は省略するが、第２貯蔵場２６は、第１貯蔵場１４と同様、骨材の品種によって置場が区切られている他、各々の品種において粒度範囲によっても区切られている。
【００２９】
混合機２８は、骨材同士を混合して所定の粒度分布やその他品質等を有する骨材を得るための竪型ミキサーや、若干破砕を行いながら混合を行うことのできる破砕混合機であって、計量機２４で計量され、混合割合が決定された骨材同士を混合する。
【００３０】
改質設備３０は、アルカリ骨材反応を誘引するような有害物質を含む骨材を改質したり、高吸水率のものを低吸水率化したりするためなどの目的で備えられ、不良品であっても、軽度の不良品であれば改質して使用可能な骨材とすることもできる。具体的には、加熱装置、薬品処理装置、被覆装置、造粒装置（パンペレタイザー）等である。
【００３１】
洗浄機３２は、骨材に付着した異物を水洗除去するために備えられ、図１の例では、混合機２８の後段に配置されているが、分級機２２の後段に配置するなど、配置や数は特に限定されない。必要に応じて各工程の前後において骨材を洗浄する。洗浄機３２の種類も特に限定されない。
【００３２】
試験・分析設備３４は、出荷する骨材がＪＩＳ規格に適合するか否かを試験、分析したり、顧客が所望する品質等を備えたものであるか否か、一連の処理した骨材が所定の品質等を備えたものになったか、受け入れられた骨材が所定の品質等を備えるか否かを試験・分析するために備えられる。試験・分析設備３４が事業場１０内にあることによって、きめ細かな品質調整を行うことができる。試験・分析設備３４としては、Ｘ線回折装置、化学分析設備、顕微鏡観察装置、コンクリート試験やモルタル試験用装置等である。
【００３３】
出荷設備３６は、試験・分析設備３４によって所定の品質等を有し、出荷できると確認された骨材を、用途別に出荷するために備えられ、各骨材を備蓄するための備蓄タンク４１〜５０を有し、これらの備蓄タンク４１〜５０の中には、予備の備蓄タンク４６〜４８が含まれる。その他、通常出荷するのに必要な装置や機器は当然備えられている。
【００３４】
尚、図１に示した構成以外にも、例えば、粉砕機２０から排出された骨材をそのまま試験・分析設備３４及び出荷設備３６を経て出荷するように構成するなどの構成とすることも可能である。
【００３５】
次に、上記構成を有する事業場１０の動作例について、受け入れた骨材の種類別に詳述する。
【００３６】
まず、石灰石粗骨材を受け入れる場合について、図２を参照しながら説明する。
【００３７】
採石山又は砕石工場２より輸送された石灰石粗骨材を受入設備１２で受け入れ、石灰石粗骨材用の第１貯蔵場１４に一時的に貯蔵する。異なる複数の採石山又は採石工場２から受け入れたものが略々同質のものであれば、一緒に貯蔵してもよいが、少し異なる質ものであれば、分けて貯蔵した方が好ましい。第１貯蔵場１４に貯蔵された石灰石粗骨材のうち、試験・分析設備３４によって試験を行い、そのままコンクリート用粗骨材として使用可能であることが確認できたものについては、備蓄タンク４１、４３を介して試験成績表を付して陸送又は海送で出荷設備３６から出荷する。
【００３８】
第１貯蔵場１４に貯蔵された石灰石粗骨材のうち、試験・分析設備３４によって試験を行い、そのままコンクリート用粗骨材として使用可能であることが確認できなかったもの、及び元々微粒分を多く含むなどの理由で確認試験を行わなかったものについては、第１分級機２２に供給し、５ｍｍ及び２０ｍｍを分級点として分級する。
【００３９】
第１分級機２２によって分級され、粒径が２０ｍｍ以上の骨材は、その粒径が２０ｍｍ未満になるまで粉砕機２０によって粉砕する。一方、粒径が５ｍｍ以上２０ｍｍ未満の骨材は、洗浄機３２で洗浄した後、試験・分析設備３４で品質等を確認した後、コンクリート用粗骨材として備蓄タンク４３を介し、試験成績表を付して、陸送又は海送で出荷設備３６から出荷する。
【００４０】
第１分級機２２によって分級され、粒径が５ｍｍ未満の骨材は、第２分級機２３に供給し、０．１５ｍｍを分級点として分級する。そして、粒径が０．１５ｍｍ以上５ｍｍ未満の骨材は、試験・分析設備３４で品質等を確認した後、コンクリート用細骨材として備蓄タンク４１を介して、上記粗骨材と同様に出荷設備３６から出荷する。一方、粒径が０．１５ｍｍ未満のタンカルは、試験・分析設備３４で品質等を確認した後、各種充填材、コンクリート混和材用粉粒体として備蓄タンク４２を介し、陸送で出荷設備３６から出荷する。
【００４１】
以上のように、この事業場１０によれば、異なる複数の採石山又は採石工場２から各々受け入れた石灰石粗骨材について、一事業所での一元的な管理のもとで、受け入れた石灰石粗骨材から、タンカル、コンクリート用細骨材及びコンクリート用粗骨材を製造して出荷することができる。この際、出荷する骨材は、ＪＩＳに規定するコンクリート用骨材の規格に適合するものとすることができる。
【００４２】
次に、天然粗骨材を受け入れる場合について、図３を参照しながら説明する。尚、ここでいう天然粗骨材とは、花崗岩系粗骨材、安山岩系粗骨材等の石灰石粗骨材以外の天然粗骨材をいう。
【００４３】
上記石灰石骨材と並行して、採石山又は砕石工場２より陸送された天然粗骨材を受入設備１２で受け入れ、第１貯蔵場１４に一時的に貯蔵する。異なる複数の採石山又は採石工場２から略々同時に受け入れた場合の処理は、上記石灰石粗骨材の場合と同様である。その後、第１貯蔵場１４に貯蔵された天然粗骨材のうち、試験・分析設備３４によって試験を行い、そのままコンクリート用天然粗骨材として使用可能であることが確認できたものについては、備蓄タンク４４、４６を介して試験成績表を付して陸送で出荷設備３６から出荷する。
【００４４】
第１貯蔵場１４に貯蔵された天然粗骨材のうち、試験・分析設備３４によって試験を行い、そのままコンクリート用天然粗骨材として使用可能であることが確認できなかったものについては、第１分級機２２に供給し、５ｍｍ及び２０ｍｍを分級点として分級する。
【００４５】
第１分級機２２によって分級され、粒径が２０ｍｍ以上の骨材は、その粒径が２０ｍｍ未満になるまで粉砕機２０によって粉砕する。一方、粒径が５ｍｍ以上２０ｍｍ未満の骨材は、洗浄機３２で洗浄した後、試験・分析設備３４で品質等を確認し、コンクリート用天然粗骨材として備蓄タンク４６を介し、試験成績表を付して陸送で出荷設備３６から出荷する。
【００４６】
また、第１分級機２２によって分級され、粒径が５ｍｍ未満の骨材は、第２分級機２３に供給し、０．１５ｍｍを分級点として分級する。そして、粒径が０．１５ｍｍ以上５ｍｍ未満の骨材は、試験・分析設備３４で品質等を確認し、コンクリート用天然細骨材として備蓄タンク４４を介し、試験成績表を付して陸送で出荷設備３６から出荷する。一方、粒径が０．１５ｍｍ未満の砕石粉は、試験・分析設備３４で品質等を確認した後、地盤改良用粉粒体として備蓄タンク４５を介して陸送で出荷設備３６から出荷する。
【００４７】
以上のように、この事業場１０によれば、異なる複数の採石山又は採石工場２から各々受け入れた天然粗骨材について、一事業所での一元的な管理のもとで、受け入れた天然粗骨材から、砕石粉、細骨材及び粗骨材を製造して出荷することができ、ＪＩＳに規定するコンクリート用骨材の規格に適合する骨材を出荷することもできる。
【００４８】
次に、２種類の天然骨材を受け入れて品質等の調整をして出荷する場合について、図４を参照しながら説明する。尚、ここでいう天然骨材とは、規格外の一般の天然骨材である。
【００４９】
異なる採石山又は砕石工場２より輸送された、ＪＩＳ規格には合わない２種類（粗いものと、細かいもの）の天然骨材を受入設備１２で受け入れ、第１貯蔵場１４に一時的に貯蔵し、受け入れた骨材の品質、性能の確認試験を行う。
【００５０】
次に、両骨材を第１分級機２２で分級する。第１分級機２２で分級された粒径が５ｍｍ以上の骨材は、その粒径が５ｍｍ未満になるまで粉砕機２０によって粉砕する。一方、粒径が０．１５ｍｍ以上５ｍｍ未満の骨材は、細骨材原料として計量機２４に供給する。
【００５１】
粉砕機２０で粉砕された骨材は、第２分級機２３に供給されて分級され、粒径が０．１５ｍｍ未満の砕石粉については、試験・分析設備３４で品質等を確認した後、備蓄タンク４７を介し、コンクリート混和材用粉粒体として、試験成績表を付して、陸送で出荷設備３６から出荷する。一方、第２分級機２３で分級された０．１５ｍｍ以上５ｍｍ未満の骨材は、粒度範囲毎に、品質、性能、粒度等の調整用骨材として第２貯蔵場２６に貯蔵する。第２分級機２３での分級ポイントは、０．１５ｍｍ以上５ｍｍ未満の粒度範囲の間で適宜設けられる。
【００５２】
次に、計量機２４において、第１分級機２２からの骨材と、第２貯蔵場２６からの粒度調整用骨材とを計量した後、混合機２８で混合する。該粒度調整用骨材は、前記のように分級して貯蔵したものを用いてもよいし、品質等が同じであれば、既に貯蔵してあったものを用いてもよい。例えば、第１分級機２２からの骨材の粒度分布がコンクリート用天然細骨材として不適である場合には、不足している粒度範囲のものについて、第２貯蔵場２６からの調整用骨材を追加混合して粒度調整を行い、コンクリート用天然細骨材の規格に適合する粒度分布とする。また、第１分級機２２からの骨材がアルカリ骨材反応を引き起こし易い成分を含む場合には、第２貯蔵場２６からアルカリ骨材反応を防ぐスラグ細骨材等を計量機２４、混合機２８を介して混合し、成分調整を行う。
【００５３】
混合機２８で混合された骨材は、洗浄機３２で洗浄した後、試験・分析設備３４で品質等を確認し、コンクリート用天然細骨材として、備蓄タンク４８を介し、試験成績表を付して陸送で出荷設備３６から出荷する。
【００５４】
以上のように、この事業場１０によれば、一事業所での一元的な管理のもとで、受け入れた規格外の２種類の天然骨材を混合して所望の品質等を有する骨材を得ることができ、ＪＩＳに規定するコンクリート用骨材の規格に適合するものとすることもできる。
【００５５】
次に、３種類の重量細骨材を受け入れて性能等の調整をした後、船舶バランサー用重量骨材として出荷する場合について、図５を参照しながら説明する。重量細骨材の原料としては、くず鉄、ミルスケール、硫鉄等が挙げられる。
【００５６】
重量骨材生産者３より陸送された３種類の重量細骨材を受入設備１２で受け入れ、第１貯蔵場１４に貯蔵する。
【００５７】
第１貯蔵場１４に貯蔵された重量細骨材のうち、試験・分析設備３４によって試験を行い、一部の硫鉄等そのまま船舶バランサー用重量骨材として使用可能なものについては、備蓄タンク５０Ａを介し、試験成績表を付して出荷設備３６から陸送又は海送で出荷する。
【００５８】
第１貯蔵場１４に貯蔵された重量細骨材のうち、試験・分析設備３４によって試験を行い、例えば、形状や粒度が適さないため、そのまま船舶バランサー用重量骨材として使用できないものについては、異なる形状や粒度のものを混合して使う。これらを各々計量機２４に供給して計量した後、混合機２８で混合し、形状・粒度調整を行うとともに、均質な重量細骨材を得て、試験・分析設備３４に供給した後、船舶バランサー用重量骨材として備蓄タンク５０Ｂを介し、試験成績表を付して出荷設備３６から陸送又は海送で出荷する。例えば、ミルスケールは、形状が扁平なので、粒状のくず鉄と混合して使用する。
【００５９】
以上のように、この事業場１０によれば、一事業所での一元的な管理のもとで、受け入れた３種類の重量細骨材から、形状や粒度のバランスのよい船舶バランサー用重量骨材を得ることもできるため、船舶バランサー用重量骨材の品質を安定化させ、物流効率を向上させることもできる。
【図面の簡単な説明】
【００６０】
【図１】本発明にかかる骨材生産出荷システム（事業場）の一実施の形態の全体構成を示すフローチャートである。
【図２】図１の事業場が石灰石粗骨材を受け入れ、コンクリート用骨材等を出荷する場合のフローチャートである。
【図３】図１の事業場が天然粗骨材を受け入れ、コンクリート用骨材等を出荷する場合のフローチャートである。
【図４】図１の事業場が天然骨材を受け入れ、コンクリート用骨材等を出荷する場合のフローチャートである。
【図５】図１の事業場が重量細骨材を受け入れ、船舶バランサー用重量骨材を出荷する場合のフローチャートである。
【符号の説明】
【００６１】
１  産地・製造工場
２  採石山又は砕石工場
３  重量骨材生産者
１０  事業所（骨材生産・出荷センター）
１２  受入設備
１４  第１貯蔵場
２０  粉砕機
２２  分級機（第１分級機）
２３  第２分級機
２４  計量機
２５  磨砕設備
２６  第２貯蔵場
２８  混合機
３０  改質設備
３２  洗浄機
３４  試験・分析設備
３６  出荷設備
４１〜５０  備蓄タンク
【図１】
2008239455.tif 000003
【図２】
2008239455.tif 000004
【図３】
2008239455.tif 000005
【図４】
2008239455.tif 000006
【図５】
2008239455.tif 000007